(57)【要約】【課題】光源の交換に要するコストを節減するとともに、屋外における長期間の使用に耐え、明暗のむらが少ない電飾看板を提供する。【解決手段】キャスタ５を備えた基台１の上に配置されたユニット収納部２の上部に、下面に開放部を有する透光性のカバー部材３が開閉可能に設置されている。そして、上記ユニット収納部２には、充電池を備えたＬＥＤ照明ユニット４が、上向きに発光するよう調整された状態で収容されている。このように、充電池を備えたＬＥＤ照明ユニット４を光源とするため、光源の交換に要するコストを大幅に節減できる。また、ＬＥＤ照明ユニット４がカバー部材３で覆われるため、屋外における長期間の使用に耐える。さらに、カバー部材３の内側全体が下側から照射され、明暗のむらが少なくなる。【選択図】図２
0003184437.tif 000002
【実用新案登録請求の範囲】
【請求項１】
キャスタを備えた基台の上に、ユニット収納部が配置され、
上記ユニット収納部の上部には、下面に開放部を有する透光性のカバー部材が開閉可能に設置され、
上記ユニット収納部には、充電池を備えたＬＥＤ照明ユニットが、上向きに発光するよう調整された状態で収容されている
ことを特徴とする電飾看板。
【請求項２】
上記カバー部材には、情報表示プレートを着脱可能に支持するプレート支持部が設けられている請求項１記載の電飾看板。
【請求項３】
上記ＬＥＤ照明ユニットの発光面の高さは、ユニット収納部の上縁の高さと同じか低くなるように設定されている請求項１または２記載の電飾看板。
【考案の詳細な説明】
【技術分野】
【０００１】
本考案は、内蔵した照明ユニットを夜間に発光させることができる電飾看板に関するものである。
【背景技術】
【０００２】
従来から、飲食店などにおいて、路面設置用の電飾看板が用いられている。このような電飾看板としては、例えば下記の特許文献１や特許文献２に開示されたものがある。
【０００３】
特許文献１に記載された電気スタンド式看板は、電源のない場所でも使用可能としたものである。基台（１）の下面には運搬し易くするためのキャスタ（２）が設けられている。基台（１）上には広告等の半透明の看板（３）を備えた電飾看板部（４）が設けられている。電飾看板部（４）内にはＡＣ用蛍光灯（５）が設けられている。基台（１）内には、電源を供給するためのシールバッテリ（７）が固定されており、このシールバッテリ（７）には電源コード（９）が接続されている。シールバッテリ（７）の充電は、この電気スタンド式看板を使用しない時間帯に行うことが好ましく、キャスタ（２）を用いて看板が邪魔にならない場所に移動して行う。基台（１）の側面に設けたコード取出防雨カバー（１２）を開けて、基台（１）の内部から電源コード（９）をコードリール（１０）により引き出し、コンセント等の外部電源に接続して充電する。
【０００４】
特許文献２に記載されたＬＥＤ照明装置（１２）は、基台（１４）と、この基台（１４）に立設された支持部（１６）とこの支持部（１６）の上端部に取り付けられたＬＥＤ照明装置本体（１８）とを有したものである。ＬＥＤ照明装置本体（１８）は、表示基板（２０）と、この表示基板（２０）の表面に配設された多数個のＬＥＤ（２２）と、これら多数個のＬＥＤ（２２）を取りつけた表示基板面（２０）を被覆するように取り付けられたプラスチック板（２４）とを有している。ＬＥＤ（２２）の配設は、所定の文字、図形又は模様を形成するように行っている。これにより、蛍光灯管又はネオンサイン管のようなタマ切れは皆無となり、連続して長時間の照明が可能で電気消費量が低くなる。また、照度を自在に高めることが可能で、形状も自由とし、ＬＥＤ（２２）の効果的使用によりコストダウンとなる。
【０００５】
なお、特許文献１および特許文献２の説明において、括弧内の符号は公報に記載されたものである。
【先行技術文献】
【特許文献】
【０００６】
【特許文献１】特開２００３−６６８７６号公報
【特許文献２】特開平７−１９９８３０号公報
【考案の概要】
【考案が解決しようとする課題】
【０００７】
特許文献１に記載された電気スタンド式看板では、光源として蛍光灯（５）を使用することから、蛍光灯（５）が寿命を迎えるたびに頻繁に交換しなければならない。また、蛍光灯（５）、安定器（６）ならびに充電器（８）等が収容された構造であるため、内部に水が浸入することにより機器の不具合が発生しやすい。このような看板は屋外に設置されることが多いので、防水処理は行われるが、防水処理が経年劣化すると、結局水の浸入を許してしまうので、同じことである。
【０００８】
特許文献２に記載されたＬＥＤ照明装置では、光源としてＬＥＤ（２２）を用いているが、ＬＥＤ（２２）を効率的に使用するために、ＬＥＤ（２２）自体を文字、図形又は模様を形成するように配置する。このような設計や組み付けに非常に手間がかかり、コストを押し上げている。また、一度ＬＥＤ（２２）を配置して表示した文字や図形は、容易に変更することができない。広告などの表示は、営業内容や季節の変化によって情報の変更が要望されるところ、このようなニーズに応えられるものではない。
【０００９】
本考案は、上記課題を解決するためになされたものであり、光源の交換に要するコストを節減するとともに、屋外における長期間の使用に耐え、情報表示を容易に変更することが可能で、明暗のむらが少ない電飾看板を提供することをその目的とする。
【課題を解決するための手段】
【００１０】
上記の目的を達成するため、本考案の電飾看板は、キャスタを備えた基台の上に、ユニット収納部が配置され、
上記ユニット収納部の上部には、下面に開放部を有する透光性のカバー部材が開閉可能に設置され、
上記ユニット収納部には、充電池を備えたＬＥＤ照明ユニットが、上向きに発光するよう調整された状態で収容されていることを要旨とする。
【考案の効果】
【００１１】
本考案の電飾看板は、キャスタを備えた基台の上に配置されたユニット収納部の上部に、下面に開放部を有する透光性のカバー部材が開閉可能に設置されている。そして、上記ユニット収納部には、充電池を備えたＬＥＤ照明ユニットが、上向きに発光するよう調整された状態で収容されている。
このように、充電池を備えたＬＥＤ照明ユニットを光源とするため、光源として蛍光灯を使ったものに比べて光源の交換に要するコストを大幅に節減できる。また、ＬＥＤ照明ユニットがカバー部材で覆われるため、屋外における長期間の使用に耐える。さらに、上記ユニット収納部にＬＥＤ照明ユニットが上向きに発光するよう調整された状態で収容され、その上をカバー部材が覆う構造となるため、カバー部材の内側全体が下側から照射され、明暗のむらが少なくなる。
【００１２】
本発明において、上記カバー部材には、情報表示プレートを着脱可能に支持するプレート支持部が設けられている場合には、
必要に応じて情報表示プレートを交換し、情報表示を容易に変更することが可能である。
【００１３】
本発明において、上記ＬＥＤ照明ユニットの発光面の高さは、ユニット収納部の上縁の高さと同じか低くなるように設定されている場合には、
ユニット収納部の上縁よりも上側に配置されたカバー部材における、下面の開放部と同じ高さかそれよりも下側にＬＥＤ照明ユニットの発光面が配置される。したがって、カバー部材の内側全体が下側から照射され、明暗のむらが少なくなる。そうすると、情報表示が見難くならず、情報表示効果を低下させない。
【図面の簡単な説明】
【００１４】
【図１】本考案の一実施の形態における電飾看板を示す斜視図である。
【図２】上記電飾看板の縦断面図である。
【図３】上記電飾看板の開閉を説明図する図である。
【図４】上記電飾看板の平面図である。
【考案を実施するための形態】
【００１５】
以下、本考案の電飾看板の実施の形態について詳細に説明する。
【００１６】
図１〜図４は、本考案の一実施形態における電飾看板を示す図である。
【００１７】
この電飾看板１０は、基台１の上にユニット収納部２が配置され、さらにそのユニット収納部２の上部に透光性のカバー部材３が開閉可能に設置されている。
【００１８】
上記基台１は、この例では金属製で、長方形の板状部材から構成されている。板状部材の下面における四隅近傍には、それぞれキャスタ５を備えている。４つのキャスタ５を転がして、電飾看板１０を容易に移動できるようになっている。さらに、板状部材の下面には、ブレーキ１１が設けられている。上記ブレーキ１１は、長方形の板状部材の片側よりに配置されている。この例では、上記ブレーキ１１は、足で踏みつけることにより地面に当接し、ブレーキ１１側の２つのキャスタ５を地面から浮かせた状態で、立てられるようになっている。ちょうど自転車のスタンドのような状態である。このようにすることにより、キャスタ５が勝手に転がって、電飾看板１０自体が勝手に移動するのを防止するようになっている。例えば傾斜のある地面に置いたり、強風に煽られたりしても、電飾看板１０はその場から動かない。
【００１９】
上記基台１の上にユニット収納部２が配置されている。
【００２０】
上記ユニット収納部２は、この例では金属製で、上面に開放部を有する箱状体から構成されている。上記ユニット収納部２は、上から見たときに、基台１よりも少し小さな長方形状をしていて、基台１のほぼ中央部に配置されている。
【００２１】
上記ユニット収納部２には、充電池を備えたＬＥＤ照明ユニット４が、上向きに発光するよう調整された状態で収容されている。
【００２２】
上記ＬＥＤ照明ユニット４は、下面にマグネット１４を有する脚部１５を備えている。これにより、金属製の基台１の上面にマグネット１４の吸引力で取り付けられるようになっている。この状態で、上記ＬＥＤ照明ユニット４がユニット収納部２に収納される。上記マグネット１４の吸引力を超える力で脚部１５を引き上げることにより、ＬＥＤ照明ユニット４を基台１から取り外すことができる。
【００２３】
上記ＬＥＤ照明ユニット４の発光面８の高さは、ユニット収納部２の上縁９の高さと同じか低くなるように設定するのが好ましい。また、このとき、上記ＬＥＤ照明ユニット４の発光面８が真上を向くように調整するのが好ましい。
【００２４】
上記ＬＥＤ照明ユニット４は図示しない充電池が内蔵されている。上記充電池としてはリチウムイオンバッテリーを用いるのが好ましい。また、図示しない充電プラグを備え、ＡＣ１００Ｖ充電器を充電プラグに接続して充電を行ないうるようになっている。したがって、ＬＥＤ照明ユニット４をユニット収納部２に収納するときは、コードレス状態である。
【００２５】
上記ユニット収納部２の上部には、下面に開放部を有する透光性のカバー部材３が開閉可能に設置されている。
【００２６】
上記カバー部材３は、例えば乳白色のアクリル板を箱状に接合したものを用いることができる。この例では、上記カバー部材３は、下面に開放部を有する縦長の箱状である。上記カバー部材３は、カバー部材３の下面開放部をユニット収納部２の上面開放部に突合せて設置される。この状態で、ユニット収納部２内の空間とカバー部材３の空間が合わさって、電飾看板１０の内部に空間が形成される。
【００２７】
上記ユニット収納部２に上記ＬＥＤ照明ユニット４が収容されているとき、発光面８が上を向き、かつ発光面８の高さがユニット収納部２の上縁９の高さと同じか低くなるように設定されている。したがって、ユニット収納部２の上部にカバー部材３が設置された状態で、カバー部材３の内部空間にはなにもない。この内部空間には、ＬＥＤ照明ユニット４が照射する光を遮るものが存在しない。
【００２８】
上記カバー部材３は、蝶番１２によってユニット収納部２に開閉可能に接続されている。また、上記蝶番１２の反対側には、フック１３が設けられて閉めた状態を保持しうるようになっている。
【００２９】
上記カバー部材３には、情報表示プレート６を着脱可能に支持するプレート支持部７が設けられている。
【００３０】
この例では、上記情報表示プレート６は、透光性のアクリル板である。上記情報表示プレート６には、例えば、店名やメニューの一部や設定価格などの情報を表示することができる。上記情報表示プレート６は、箱状のカバー部材３の一方の面と他方の面の両面に取り付けられる。上記情報表示プレート６は、カバー部材３のプレート取り付け面と同じ大きさ寸法の長方形となるように形成されている。
【００３１】
この例では、上記プレート支持部７は、情報表示プレート６を両側から抱くように支持する、断面が鉤状を呈するレール部材である。上記プレート支持部７は、カバー部材３のプレート取り付け面の両側辺に沿って取り付けられている。したがって、上記プレート支持部７に沿って、上から情報表示プレート６を差し込んで取り付けることができる。情報表示プレート６を交換するときは、取り付けてあった情報表示プレート６を上方に抜き取って、新しいものを差し込めばよい。
【００３２】
この実施形態の電飾看板１０は、アクリル製のカバー部材３を採用した軽量で、さらにコードレスであるため、移動の労力が少なくてすむ。また、発光面８を上を向けたＬＥＤ照明ユニット４により、カバー部材３の内部空間を下から照射するため、カバー部材３の前後左右に天面を加えた５面をむらなく発光させることができる。しかも、震災等の災害時に停電になっても充電されている間は発光させることができる。
【００３３】
上記実施形態の電飾看板１０は、キャスタ５を備えた基台１の上に配置されたユニット収納部２の上部に、下面に開放部を有する透光性のカバー部材３が開閉可能に設置されている。そして、上記ユニット収納部２には、充電池を備えたＬＥＤ照明ユニット４が、上向きに発光するよう調整された状態で収容されている。
このように、充電池を備えたＬＥＤ照明ユニット４を光源とするため、光源として蛍光灯を使ったものに比べて光源の交換に要するコストを大幅に節減できる。また、ＬＥＤ照明ユニット４がカバー部材３で覆われるため、屋外における長期間の使用に耐える。さらに、上記ユニット収納部２にＬＥＤ照明ユニット４が上向きに発光するよう調整された状態で収容され、その上をカバー部材３が覆う構造となるため、カバー部材３の内側全体が下側から照射され、明暗のむらが少なくなる。
【００３４】
また上記カバー部材３には、情報表示プレート６を着脱可能に支持するプレート支持部７が設けられているため、
必要に応じて情報表示プレート６を交換し、情報表示を容易に変更することが可能である。
【００３５】
また、上記ＬＥＤ照明ユニット４の発光面８の高さは、ユニット収納部２の上縁９の高さと同じか低くなるように設定されているため、
ユニット収納部２の上縁９よりも上側に配置されたカバー部材３における、下面の開放部と同じ高さかそれよりも下側にＬＥＤ照明ユニット４の発光面８が配置される。したがって、カバー部材３の内側全体が下側から照射され、明暗のむらが少なくなる。そうすると、情報表示が見難くならず、情報表示効果を低下させない。
【００３６】
以上は本考案の特に好ましい実施形態について説明したが、本考案は図示の実施形態に限定する趣旨ではない。本考案は、各種の態様に変形して実施することができ、各種の変形例を包含する趣旨である。
【符号の説明】
【００３７】
１  基台
２  ユニット収納部
３  カバー部材
４  ＬＥＤ照明ユニット
５  キャスタ
６  情報表示プレート
７  プレート支持部
８  発光面
９  上縁
１０  電飾看板
１１  ブレーキ
１２  蝶番
１３  フック
１４  マグネット
１５  脚部
【図１】
0003184437.tif 000003
【図２】
0003184437.tif 000004
【図３】
0003184437.tif 000005
【図４】
0003184437.tif 000006